(57)【要約】【課題】販売促進効果を高めるために、ポップアップ動作と音の発生を同時かつ繰返し行うことのできる箱体を提供する。【解決手段】主側壁板１０に対して相対的に揺動する搖動板２０を開くと立ち上がるポップアップ構造部５０を備えてなる、箱体。ポップアップ構造部の可動板６５および搖動板内面２０ａに設けた搖動フラップ２５は、それぞれ、搖動板２０が開くとき、搖動板内面２０ａに重なる姿勢から起き上がるとともに、搖動板２０が閉じるとき、起き上がった位置から搖動板内面２０ａに重なる位置に戻る。可動板６５には、弾力のある発音フラップ６７が形成されるとともに、搖動フラップ２５には、その湾曲して延在する上縁２５ａに所定間隔で複数の発音突起２７が形成されている。搖動板２０の開閉動作に伴って、発音突起２７が発音フラップ６７を弾き、これによって音が出る。【選択図】図１
2014088199.tif 000002
【特許請求の範囲】
【請求項１】
１つの主側壁板（１０）に重なる閉位置と、当該主側壁板（１０）から所定角度をもって開いた開位置との間で搖動可能な搖動板（２０）を備えるとともに、
搖動板（２０）を開くと立ち上がるポップアップ構造部（５０）を備えてなる、箱体であって、
ポップアップ構造部（５０）は可動板（６５）を含んでいて、当該可動板（６５）は、搖動板（２０）が開くとき、搖動板内面（２０ａ）に重なる姿勢から起き上がるとともに、搖動板（２０）が閉じるとき、起き上がった位置から搖動板内面（２０ａ）に重なる位置に戻り、
搖動板内面（２０ａ）には、搖動フラップ（２５）が設けられており、当該搖動フラップ（２５）は、搖動板（２０）が開くとき、搖動板内面（２０ａ）に重なる姿勢から起き上がるとともに、搖動板（２０）が閉じるとき、起き上がった位置から搖動板内面（２０ａ）に重なる位置に戻り、
可動板（６５）には、弾力のある発音フラップ（６７）が形成されるとともに、搖動フラップ（２５）には、その湾曲して延在する上縁（２５ａ）に所定間隔で複数の発音突起（２７）が形成されていて、搖動板（２０）の開閉動作に伴って、発音突起（２７）が発音フラップ（６７）を弾き、これによって音が出ることを特徴とする、箱体。
【請求項２】
１つの主側壁板（１０）に重なる閉位置と、当該主側壁板（１０）から所定角度をもって開いた開位置との間で搖動可能な搖動板（２０）を備えるとともに、
搖動板（２０）を開くと立ち上がるポップアップ構造部（５０）を備えてなる、箱体であって、
ポップアップ構造部（５０）は可動板を含んでいて、当該可動板は、搖動板（２０）が開くとき、主側壁板内面（１０ａ）に重なる姿勢から起き上がるとともに、搖動板（２０）が閉じるとき、起き上がった位置から主側壁板内面（１０ａ）に重なる位置に戻り、
主側壁板内面（１０ａ）には、搖動フラップが設けられており、当該搖動フラップは、搖動板（２０）が開くとき、主側壁板内面（１０ａ）に重なる姿勢から起き上がるとともに、搖動板（２０）が閉じるとき、起き上がった位置から主側壁板内面（１０ａ）に重なる位置に戻り、
可動板には、弾力のある発音フラップが形成されるとともに、搖動フラップには、その湾曲して延在する上縁に所定間隔で複数の発音突起が形成されていて、搖動板（２０）の開閉動作に伴って、発音突起が発音フラップを弾き、これによって音が出ることを特徴とする、箱体。
【請求項３】
上記ポップアップ構造部（５０）は、上記可動板（６５）を一部に有する台座（６０）と、当該台座（６０）に載せられて開閉するプレート体（７０）と、を備えており、
当該台座部（６０）および上記搖動フラップ（２５）が一枚のブランク（１２０）を組み上げて構成されていることを特徴とする、請求項１または２記載の箱体。
【発明の詳細な説明】
【技術分野】
【０００１】
本発明は、ポップアップディスプレイを備えた包装用の箱体であって、ポップアップと同時に音がでる箱体に関する。
【背景技術】
【０００２】
菓子等を収容して販売される箱体の分野において、開封操作と同時にポップアップディスプレイが立ち上がり、これにより販売促進効果を狙ったものが特許文献１に開示されている。
【０００３】
また、同じく販売促進効果を狙ったものとして、ジッパを破って開封する際にリズミカルな破断音が生じる箱体が特許文献２に開示されている。この箱体は、ジッパを構成する破断線のピッチを工夫して、破断音がリズミカルになるよう構成されている。
【先行技術文献】
【特許文献】
【０００４】
【特許文献１】特開２００２−５３１２５号公報
【特許文献２】特開２０１２−１２６４１３号公報
【発明の概要】
【発明が解決しようとする課題】
【０００５】
本発明は販売促進効果をさらに高めるべく創案されたものであり、その目的は、ポップアップディスプレイを構成する部材間の相対的な動きを工夫して、それにより、ポップアップ動作と音の発生を同時かつ繰返し行うことのできる箱体を提供することである。
【課題を解決するための手段】
【０００６】
本発明の箱体は、「１つの主側壁板に重なる閉位置」と「当該主側壁板から所定角度をもって開いた開位置」との間で搖動可能な「搖動板」を備えるとともに、搖動板を開くと立ち上がる「ポップアップ構造部」を備えている。
ポップアップ構造部は、「可動板」を含んでいて、当該「可動板」は、搖動板が開くとき、搖動板内面に重なる姿勢から起き上がるとともに、搖動板が閉じるとき、起き上がった位置から搖動板内面に重なる位置に戻る。
搖動板内面には、「搖動フラップ」が設けられており、当該「搖動フラップ」は、搖動板が開くとき、搖動板内面に重なる姿勢から起き上がるとともに、搖動板が閉じるとき、起き上がった位置から搖動板内面に重なる位置に戻る。
可動板には、弾力のある「発音フラップ」が形成されるとともに、搖動フラップには、その湾曲して延在する上縁に所定間隔で複数の「発音突起」が形成されている。搖動板の開閉動作に伴って、「発音突起」が「発音フラップ」を弾き、これによって音が出る。
【０００７】
本発明において「主側壁板」という語は、箱体が有する複数の側壁板の中で、揺動板とともに２重壁を構成する側壁板を指すものであり、他の側壁板と区別するために使用している。
【０００８】
上記箱体においては、「可動板」および「揺動フラップ」は、「揺動板」の内面に対して、当該内面に重なる位置と、そこから起き上がる位置とで揺動可能とされている。別例として、「主側壁板」の内面に対して、当該内面に重なる位置と、そこから起き上がる位置とで揺動可能としてもよく、その場合にも、同様の原理で音を出すことができる。
なお、「揺動板」および「主側壁板」について、その「内面」とは、互いに重なり合う側の面（ポップアップ構造部が設けられる面）を意味する。
【発明の効果】
【０００９】
上記構成を備えた本発明の箱体においては、「揺動板」を「主側壁板」に対して繰り返し揺動する毎に、ポップアップ構造部が立ち上がったり、収納されたりを繰り返し、それと同時に、「発音突起」が「発音フラップ」を弾き、これによって音が出る。
すなわち、次の点に本発明特有の効果が認められる。
（ア）「ポップアップディスプレイ」および「音の発生」というダブルの効果が得られること。
（イ）「ポップアップディスプレイ」および「音の発生」の両方が繰り返して再現されること。
【００１０】
冒頭で説明した従来例においては、「ポップアップディスプレイ」または「音の発生」のいずれか一方のみであったり、「音の発生」に関しては、ジッパを破る時に１回音が出るだけであるから、いずれも販売促進効果という点において、さらに改善の余地がある。
本発明では、上記（ア）、（イ）の効果によって、さらに優れた販売促進効果が期待できる。
【図面の簡単な説明】
【００１１】
【図１】本発明の一実施形態に係る包装箱を示す説明図。
【図２】図１の包装箱におけるポップアップ構造部５０を説明する模式断面図。
【図３】図１（ｂ）をプレート体７０を省略して示す拡大斜視図。
【図４】箱体を作るためのブランクの一例を示す展開図。
【図５】ポップアップ構造部５０の台座６０を作るためのブランクの一例を示す展開図。
【図６】郵便物として利用する応用例を示す説明図。
【発明を実施するための形態】
【００１２】
本発明の一実施形態に係る包装箱１００について、添付の図面を参照して詳細に説明する。図１（ａ）は、包装箱１００のポップアップ構造部５０が閉じた状態を示し、図１（ｂ）は、開いた状態を示している。
【００１３】
≪主側壁板１０と搖動板２０≫
図１（ａ）に示した箱体１００の天面は、主側壁板１０と搖動板２０から２重壁のように構成されていて、両者の間にポップアップ構造部５０が収容されている。揺動板２０は、「主側壁板１０に重なる閉位置（図１ａ）」と「主側壁板１０から所定角度をもって開いた開位置（図１ｂ）」との間で搖動可能である。
なお、「主側壁板」という語は、揺動板とともに２重壁を構成する１つの側壁板を、他の側壁板と区別する意味で使用している。
【００１４】
揺動板２０は、最初は破断線２１に沿って破り開けられるが、その後は、稜線２２を揺動中心として繰返し揺動が可能である。また、揺動板２０の側方には差込みフラップ２３が連設されていて、これを側壁板３０に設けたスリット３１（図４参照）に差し込むことにより、揺動板２０を閉位置（図１ａ）に固定することが可能である。
【００１５】
≪ポップアップ構造部５０≫
搖動板２０が開いたとき、ポップアップ構造部５０が立ち上がる。本発明においては、これと同時にパチパチッという音が生じる。この音は、揺動板２０を閉じてポップアップ構造部５０が畳み込まれる際にも生じる。すなわち、揺動板２０の揺動動作と連動して、何度も繰り返して、音を発生させることができる。
【００１６】
≪音を発生させる機構≫
包装箱１００における音を発生させる原理について説明する。音は、図１（ｂ）に示した「ポップアップ構造部５０の一部である可動板６５」と「揺動板２０の内面２０ａに設けた揺動フラップ２５」を利用して発生させる。
【００１７】
≪可動板６５≫
図２は、可動板６５の動きを説明するための模式図であって、主側壁板１０と搖動板２０からなる２重壁構造の部分を、図１（ａ）中の２−２線断面で簡略化して描いたものである。
主側壁板１０と搖動板２０に挟まれているポップアップ構造部５０は、台座６０とその上に載るプレート体７０で構成されており、いずれも折畳み可能に構成されている。揺動板２０を図２（ａ）の状態から図２（ｂ）へと開けると、ポップアップ構造部５０（台座６０＋プレート体７０）がポップアップする。なお、図２においては、説明を明快にするために、台座６０およびプレート体７０をそれぞれ物理的に離れた状態で描いている。
可動板６５は、ポップアップ構造体５０の一部である台座６０を構成する一壁面であって、揺動板２０が開くとき、図２（ｂ）中に矢印Ａで示したように立ち上がる。換言すると、可動板６５は、搖動板２０が開くとき、搖動板の内面２０ａに重なる姿勢から起き上がる。そして、搖動板２０が閉じるとき、起き上がった位置から搖動板の内面２０ａに重なる位置に戻ることができる。
【００１８】
≪揺動フラップ２５≫
揺動フラップ２５は、図１（ｂ）に示したように、搖動板の内面２０ａに揺動可能に固定されている。搖動板２０が開くとき、揺動フラップ２５は、搖動板内面２０ａに重なる姿勢から起き上がる。また、搖動板２０が閉じるとき、起き上がった位置から搖動板内面２０ａに重なる位置に戻ることができる。
【００１９】
≪発音原理≫
図３は、発音原理を説明するための拡大図であり、図１（ｂ）の状態からプレート体７０を省略して、可動板６５および揺動フラップ２５の周辺を拡大して示している。
可動板６５には、板面にコ字状のスリット６７ａを入れることにより、発音フラップ６７が形成されている。可動板６５は、厚紙その他の適度の弾性を有する材料で構成されているので、発音フラップ６７の自由端縁を弾くとパチパチと音が出る。
一方、搖動フラップ２５は、折罫Ｘを介して固定片２６と連設されて成るもので、固定片２６を揺動板の内面２０ａに接着することで、当該内面２０ａに対して揺動可能に固定されている。
搖動フラップ２５の上端縁２５ａは、円弧状に湾曲して延在しており、複数の発音突起２７が間隔を置いて複数形成されている。「発音突起」とは、発音フラップ６７を弾いて音を発生させるための突起という意味である。
揺動板２０の揺動に伴って、可動板６５は折罫Ｙを中心として揺動し、そのとき、発音フラップ６７も折罫Ｙを中心として旋回して、揺動フラップ２５の円弧状の上端縁２５ａをなぞるように揺動する。その際に、円弧状上端縁２５ａに形成された複数の発音突起２７が発音フラップ６７を弾いて、これによって音が出る。
【００２０】
複数の発音突起２７について、その数および間隔を調整することで、パチパチという音のリズムを調整することができる。
【００２１】
≪箱体を構成するブランク１１０の構成≫
本発明においては、相対移動する揺動板２０、主側壁板１０、ポップアップ構造部５０を構成する部材間の相対的な動きによって、上述のように、「ポップアップディスプレイの動き」と「音の発生」を同時かつ繰り返して生じさせることができれば、どのようにして箱体を組み立ててもよい。代表的には、ブランクを組み立てることによって箱体を構成するが、そのブランクの具体的な形状も、ある特定のものに限定されるものではない。図４には、ブランクの一例を展開図で示した。
【００２２】
図１〜図３に示した包装箱１００（ポップアップ構造部５０を除く部分）は、１枚のブランク１１０から組み立てることができる。
ブランク１１０は、主要構成要素として、図４中左側から「主側壁板１０」、「側壁板３０」、「背壁板８０」、「側壁板３５」、「揺動板２０」、「差込みフラップ２３」を備えており、これらは、折罫を介して連設されている。
【００２３】
主側壁板１０の左側に連設した「のりしろ１」を側壁板３５の裏側に接着固定することで、主側壁板１０と背壁板８０が対向して向かい合う。そして、主側壁板１０の上に揺動板２０を重ねて２重壁を構成する（この２重壁の間に、ポップアップ構造部５０が挟み込まれる）。背壁板８０は、図１（ａ）において底側に位置している。
ブランク１１０上で差込フラップ２３の両側に位置する部分３０’、３０’は、側壁板３０上に接着固定されて、組立後においては、図１（ａ）中の側壁板３０として認識することができる。揺動板２０の右側に連設された差込フラップ２３は、組立後には、側壁板３０に形成したスリット３１内に差し込まれる。
【００２４】
図４中上端側に位置する差込みフラップ９３は、内容物である菓子等を取り出したり、再封止したりするのに使用するものであって、組立後の箱体において、側壁板９０に形成されたスリット９１に差し込まれる。差込みフラップ９３の両側に位置する部分９０’、９０’がフラップ９０に接着固定されて１つの側壁板を構成する。
【００２５】
このように、内容物を取り出すための開閉部を、ポップアップのための２重壁構造部とは別の箇所に設けることで、次のようなメリットを得ることができる。すなわち、揺動板２０を開けたときにも、その下に主側壁板１０が存在し、したがって当該壁面は閉じたままに維持されているので、内容物が不用意にこぼれ出る恐れがない。また、異物が混入することもない。
【００２６】
また、揺動板２０の下方に連設されたフラップ９５は、背壁板８０の下方側に連設された「のりしろ２」に接着固定されて、１つの側壁板を構成する。この側壁板は、組立状態において、側壁板９０に対向するものである。
【００２７】
≪台座を構成するブランク１２０の構成≫
ポップアップ構造部５０の一部を構成する台座６０についても、それに限定されるものではないが、１枚のブランク１２０から組み立てることができる。その一例を図５に展開図で示した。この例は、台座６０と揺動フラップ２５とが１枚のブランクから構成される点に特徴がある。
【００２８】
ブランク１２０の各構成要素を、図３と対比させて説明する。天板７７、７８は、図３において台座６０の天面に位置するもので、この上にプレート体７０が固定される。天板７７の左側には可動板６５が連設され、天板７８の右側には他の可動板８５が連設されている（図示の実施形態において、可動板８５の側には発音要素は配置されていない）。
可動板８５の右側に連設された「のりしろ４」は、主側壁板１０の内面１０ａに接着固定される。そして、中央壁７５が２つの可動板６５、８５の間を上方に延在し、「のりしろ５」が天板７８の裏側に接着固定される。なお、この中央壁７５には、次のような存在意義がある。すなわち、この中央壁７５が存在しないと、揺動板２０を開いてポップアップしたときに、プレート体７０の開きが不十分となり、「く」の字状に折れ曲がった状態となってしまう。中央壁７５が存在することで、ポップアップ時にプレート体７０が押し上げられ、そのような不都合を解消できる。
天板７７の左側の可動板６５には、上述した通り、コ字状のスリット６７ａを入れることで、弾性的に振動可能な発音フラップ６７が形成されている。また、可動板６５には、一定幅を有するくの字状の開口部（チャンネル）８０が形成されている。チャンネル８０は、２つの部分８０ａ、８０ｂで構成されるが、その機能は、次に示す通りである。
【００２９】
可動板６５の左側に連設された「のりしろ３」は、揺動板２０の内面２０ａに接着固定される。そして、固定片２６を折り返してチャンネル部分８０ａに挿通するとともに、揺動フラップ２５は、チャンネル部分８０ｂに挿通する。さらに、固定片２６を揺動板２０の内面２０ａに接着固定すると、これにより、図３に示すように、揺動フラップ２５は、折罫Ｘを中心として、揺動板内面２０ａ上で揺動することが可能になる。
【００３０】
可動板８５の上端縁に連設されたブリッジ部７９は、「のりしろ６」を可動板６５の裏側に接着固定することで、可動板６５と可動板８５をブリッジの如く連結して補強する。また、ブリッジ部７９には、次のような存在意義もある。すなわち、ブリッジ部７９が存在しないと、発音突起２７に引っ掛かった可動板６５が中央方向に移動できずその位置に止まり、その結果、ポップアップしてもプレート体７０が中央に位置しない（図１ｂにおいて左側に片寄った状態となる）ということが起こり得る。ブリッジ部７９が存在することで、ポップアップ時に可動板６５を引き上げる力が作用するので、そのような不都合を回避できる。
【００３１】
≪組立後の挙動≫
以上のように各ブランク１１０、１２０を組み立てた後の各部材の挙動を、図３を参照して説明する。揺動板２０を折罫２２を中心として揺動させると、可動板６５は折罫Ｙを中心として揺動する。同時に、揺動フラップ２５は、チャンネル部分８０ｂ内に支持された状態で、折罫Ｘを中心として揺動する。
この間、可動板６５に形成された発音フラップ６７も、揺動フラップ２５の円弧状の上端縁２５ａに沿って揺動し、その際に、上端縁２５ａ上に離散的に形成された複数の発音突起２７が発音フラップ６７を弾いて、これにより、音が発生する。
【００３２】
「可動板６５を含む台座６０」および「揺動フラップ２５」は、別々にこれらを形成して、揺動板内面２０ａに取り付けるようにしても、上記と同様に音を発生することが可能である。しかしながら、図５に示したような１枚のブランク１２０から両者を組み上げるように構成すれば、部品点数を減らすことができ、コストを抑えることができる。
【００３３】
≪変形例≫
図１〜図５で説明した実施形態では、揺動板２０の内面２０ａ上で、揺動フラップ２５および可動板６５が揺動する構成を採用していたが、主側壁板１０の内面１０ａ上で揺動フラップ２５および可動板６５が揺動するように構成することも可能であり、同じ原理で音を出すことができる。
なお、揺動板２０および主側壁板１０について、その「内面」とは、互いに重なり合う側の面（ポップアップ構造部が設けられる面）を意味する。
【００３４】
また、図示の実施形態では、揺動板２０は、最初に破断線２１に沿って破り開けることで、揺動可能となっていた。これとは別例として、最初から揺動板２０が揺動可能となっていて、差込みフラップ２３とスリット３１、あるいは他の係止手段によってポップアップ構造部５０の閉止状態を維持できる構造を採用してもよい。
【００３５】
≪郵便物として利用する形態≫
本発明の箱体は、菓子等を収容して販売する包装箱として利用できる他、菓子等を包装したまま郵送される郵便物として構成することも可能である。図６は、そのような応用例の１つを説明している。
【００３６】
包装箱２００は、図６（ａ）に示した壁面が図４中の背壁板８０に対応しており、この面に郵便ハガキとして機能する表示部が設けられている。これは、直接印刷してものであっても、別シートを貼り付けたものであってもよい。
図６（ｂ）、（ｃ）に示した反対側の壁が主側壁板１０と揺動板２０とから２重壁に構成されていて、上に説明した実施形態と同様にポップアップ構造部５０を内部に備えている。そして、揺動板２０の外面２０ｂには、メッセージ等を記入するための記入欄が設けられている。これも、直接印刷したものであっても、別シートを貼り付けたものであってもよい。
【００３７】
この郵便を受け取った者は、書き込まれたメッセージを読むとともに、揺動板２０を破り開け、ポップアップおよび音の発生を繰返し楽しむことができる。
図６（ｃ）から理解できるように、この態様の箱体は、自立するセルフスタンド機能を発揮し、例えば机の上に飾っておくディスプレイとして楽しむことも可能である。
また、破り開けられる２重壁とは反対側の面（背壁板８０）に宛名を書き込む表示部が存在するため、宛名を表示した部分が不用意に破れることがなく、したがって、確実に郵便が到着するというメリットがある。
【符号の説明】
【００３８】
１００、２００  包装箱
１０  主側壁板
２０  揺動板
２１  破断線
２２  稜線（折罫）
２３  差込みフラップ
２５  揺動フラップ
２６  固定片
２７  発音突起
３０  側壁板
３１  スリット
３５  側壁板
５０  ポップアップ構造部
６０  台座
６５  可動板
６７  発音フラップ
６７ａ  スリット
７０  プレート体
７５  中央壁
７７、７８  天板
８０  チャンネル（開口部）
８０ａ、８０ｂ  チャンネル部分
８５  可動板
９０  側壁板
９１  スリット
９３  差込みフラップ
９５  側壁板
１１０  ブランク
１２０  ブランク
Ｘ、Ｙ  折罫
【図１】
2014088199.tif 000003
【図２】
2014088199.tif 000004
【図３】
2014088199.tif 000005
【図４】
2014088199.tif 000006
【図５】
2014088199.tif 000007
【図６】
2014088199.tif 000008